(57)【特許請求の範囲】
【請求項１】
遊技盤面に取り付ける取付基板に球通孔を開設し、
前記取付基板の前面に前記球通孔を囲うようにして前面カバーを取着し、前記前面カバーの上面に前記球通孔に対応する部位を残して球受口を開設し、前記球受口の下方であり前記球通孔寄りに該球通孔と連通する球入口を開設すると共に前記球通孔の反対寄りには球流出口を開設し、
前記前面カバー内に前記球入口と前記球流出口との間に位置して前記取付基板に沿って上下に揺動し前記球入口を開閉する揺動板を軸装し、
前記取付基板の後側に該取付基板に沿って水平に配置され前記揺動板を揺動動作させる電動アクチュエータを配置し、
前記揺動板が前記球流出口側へ下傾した状態では該揺動板により前記球入口が塞がれ、前記球受口から前記前面カバー内に落下したパチンコ球は前記揺動板の上面を前記球流出口側へ転動し、前記揺動板が前記球入口側へ下傾した状態では前記球入口が開放され、前記球受口から前記前面カバー内に落下したパチンコ球は前記揺動板の上面を前記球入口側へ転動するようにしたことを特徴とするパチンコ機の入賞装置。
【請求項２】
前記揺動板の下方であり前記球入口側に第１逆回動防止部材を配置すると共に前記球流出口側に第２逆回動防止部材を配置し、これら第１逆回動防止部材と第２逆回動防止部材は前記電動アクチュエータの動作と連動して前記揺動板の揺動面と同一面内で同時に回動しかつ起立することにより該揺動板を下側から支持し、
前記揺動板が前記球流出口側へ下傾した状態では前記第一逆回動防止部材が起立し、前記揺動板が前記球入口側へ下傾した状態では前記第２逆回動防止部材が起立するようにした請求項１記載のパチンコ機の入賞装置。
【発明の詳細な説明】
【技術分野】
【０００１】
本発明は、遊技盤面に装着されるパチンコ機の入賞装置に関するものである。
【背景技術】
【０００２】
従来、遊技者にとって有利な「大当り」状態になった場合に一度に沢山の入賞球を発生させ遊技者を興奮させる入賞装置が有る。この入賞装置は、例えば遊技盤面に取り付けられる取付基板に横長の球入口が開設されると共に該球入口には開閉扉が設けられている。該開閉扉は両側下端部が球入口の下縁部に軸着され、該軸着部を支点として前後方向に回動できるようになっている。また、取付基板の後側にはソレノイドといった電動アクチュエータが配置されると共に該ソレノイドが開閉扉に連係されている。そして、ソレノイドが消磁しているときは、開閉扉が起立して球入口を閉塞し該球入口にパチンコ球が入賞し得ないようにしている。一方、ソレノイドが励磁したときは開閉扉が前側へ回動して球入口を開放し、パチンコ球を開閉扉の上面で受け止めて球入口に入賞させるようにしている。入賞したパチンコ球は、その内部に設けられた球検出器により検出された後にパチンコ機の外部に排出される（例えば、特許文献１参照。）。
【先行技術文献】
【特許文献】
【０００３】
【特許文献１】特開平９−１０３５４７号公報（第３−５頁、図１）
【発明の概要】
【発明が解決しようとする課題】
【０００４】
前記パチンコ機の入賞装置にあっては、開閉扉が起立したとき該開閉扉は遊技盤面に取着される取付基板とほぼ同一面上に位置して球入口を閉じ、該球入口が開放された状態では球入口に入賞したパチンコ球は転動して球検出器により検出され外部に排出される。このことから、取付基板の後側には、球入口と連通するようにして球検出部が形成され、更にその球検出部の後側に前記開閉扉を開閉作動させる電動アクチュエータとしてのソレノイドが配置される。このように、取付基板の後側に球検出部が形成されると共に特にソレノイドが取付基板に対し直交する向きに配置される関係から、入賞装置の後側が後方へ大きく突出して大型化し、遊技盤面に取り付けたとき、該遊技盤の裏面から後方へ大きく突出していた。よって、設置スペースが狭いと入賞装置の取り付けに苦慮するといった課題が有った。
【０００５】
そこで、本発明は上記課題を解決すべくなされたもので、小型化が可能となって狭い設置スペースでも取り付けが容易となるようにしたパチンコ機の入賞装置を提供することを目的とするものである。
【課題を解決するための手段】
【０００６】
かかる目的を達成するため本発明に係るパチンコ機の入賞装置は、遊技盤面に取り付ける取付基板に球通孔を開設し、前記取付基板の前面に前記球通孔を囲うようにして前面カバーを取着し、前記前面カバーの上面に前記球通孔に対応する部位を残して球受口を開設し、前記球受口の下方であり前記球通孔寄りに該球通孔と連通する球入口を開設すると共に前記球通孔の反対寄りには球流出口を開設し、前記前面カバー内に前記球入口と前記球流出口との間に位置して前記取付基板に沿って上下に揺動し前記球入口を開閉する揺動板を軸装し、前記取付基板の後側に該取付基板に沿って水平に配置され前記揺動板を揺動動作させる電動アクチュエータを配置し、前記揺動板が前記球流出口側へ下傾した状態では該揺動板により前記球入口が塞がれ、前記球受口から前記前面カバー内に落下したパチンコ球は前記揺動板の上面を前記球流出口側へ転動し、前記揺動板が前記球入口側へ下傾した状態では前記球入口が開放され、前記球受口から前記前面カバー内に落下したパチンコ球は前記揺動板の上面を前記球入口側へ転動するようにしたことを特徴とする。
【０００７】
この際、前記揺動板の下方であり前記球入口側に第１逆回動防止部材を配置すると共に前記球流出口側に第２逆回動防止部材を配置し、これら第１逆回動防止部材と第２逆回動防止部材は前記電動アクチュエータの動作と連動して前記揺動板の揺動面と同一面内で同時に回動しかつ起立することにより該揺動板を下側から支持し、前記揺動板が前記球流出口側へ下傾した状態では前記第１逆回動防止部材が起立し、前記揺動板が前記球入口側へ下傾した状態では前記第２逆回動防止部材が起立するようにすることが好ましい。
【発明の効果】
【０００８】
本発明に係るパチンコ機の入賞装置は、遊技盤面に取り付ける取付基板に球通孔を開設し、取付基板の前面に球通孔を囲うようにして前面カバーを取着し、前面カバーの上面に球通孔に対応する部位を残して球受口を開設し、球受口の下方であり球通孔寄りに該球通孔と連通する球入口を開設すると共に球通孔の反対寄りには球流出口を開設し、前面カバー内に球入口と球流出口との間に位置して取付基板に沿って上下に揺動し球入口を開閉する揺動板を軸装し、取付基板の後側に該取付基板に沿って水平に配置され揺動板を揺動動作させる電動アクチュエータを配置した構成からなる。そして、揺動板が球流出口側へ下傾した状態では該揺動板により球入口が塞がれ、球受口から前面カバー内に落下したパチンコ球は揺動板の上面を球流出口側へ転動し、揺動板が球入口側へ下傾した状態では球入口が開放され、球受口から前面カバー内に落下したパチンコ球は揺動板の上面を球入口側へ転動するようになる。このように、取付基板の前側にパチンコ球を受ける揺動板を配置すると共に該取付基板の後側に電動アクチュエータを該取付基板に沿って水平に配置するようにしたので、取付基板の後側に後方へ突出する部分が少なくなり、全体にコンパクトに形成される。よって、設置スペースの狭い場合でも、入賞装置の取り付けが容易に行なえるという効果を奏する。
【０００９】
また、前記揺動板の下方であり球入口側に第１逆回動防止部材を配置すると共に球流出口側に第２逆回動防止部材を配置し、これら第１逆回動防止部材と第２逆回動防止部材は電動アクチュエータの動作と連動して揺動板の揺動面と同一面内で同時に回動しかつ起立することにより該揺動板を下側から支持し、揺動板が球流出口側へ下傾した状態では第１逆回動防止部材が起立し、揺動板が球入口側へ下傾した状態では第２逆回動防止部材が起立するようにすれば、揺動板のいずれの下傾状態も第１逆回動防止部材または第２逆回動防止部材によりしっかりと保持され、例えばパチンコ球が当接してその勢いで誤って回動してしまうといった誤動作を起こすことがないという効果を奏する。
【図面の簡単な説明】
【００１０】
【図１】本発明に係る入賞装置の斜視図。
【図２】同分解斜視図。
【図３】同平面図。
【図４】図３のＸ−Ｘ線断面図。
【図５】（イ）は作用を説明する入賞装置の正面断面図、（ロ）は同背面断面図。
【図６】（イ）は作用を説明する入賞装置の正面断面図、（ロ）は同背面断面図。
【図７】本発明が適用されるパチンコ機の正面図。
【発明を実施するための形態】
【００１１】
以下、本発明に係るパチンコ機の入賞装置の最良の実施の形態を図面に基づき詳しく説明する。図７は、本発明が適用されるパチンコ機の正面図である。該パチンコ機１００は前面に透明板保持枠１０１が装着され、その後側に該透明板保持枠１０１により覆われるようにして遊技盤１０２が配置されている。また、透明板保持枠１０１の下方であってパチンコ機１００の前面にパチンコ球を貯留して打球発射部（図示せず。）へ供給するための上球皿１０３が装着され、さらにその下方に該上球皿１０３から溢れるパチンコ球を貯留する下球皿１０４が装着されている。１０５は、パチンコ機１００の下部前面に取着され打球発射部から発射されるパチンコ球の打球力を調整するための打球力調整ハンドルである。
【００１２】
前記遊技盤１０２にはその前面に誘導レールである内側のガイドレール１０６ａと外側のガイドレール１０６ｂとが略渦巻状に敷設され、該内側・外側ガイドレール１０６ａ，１０６ｂに囲まれるようにして遊技部１０７が形成されている。該遊技部１０７には、その中央に文字、数字等の図柄を変動表示する可変表示器１０８ａを備えた可変表示装置１０８が配設され、その下方にパチンコ球の入賞により該可変表示器１０８ａに表示する図柄を変動させる始動入賞口１０９が配置されている。また、その下方に本発明に係る大型の入賞装置１１０が配置されている。さらに遊技部１０７の両側に、内側のガイドレール１０６ａの内側に沿って左右一対のランプ飾り１１１，１１１が装着される。１１２は、遊技部１０７に打ち込まれたパチンコ球であって入賞球になり得なかった遊技球をアウト球として該遊技盤１０２の外側へ排出するためのアウト球口である。
【００１３】
そこで、遊技盤１０２面の遊技部１０７に打ち込まれ該遊技盤１０２面を流下するパチンコ球が始動入賞口１０９に入賞すると、可変表示装置１０８の可変表示器１０８ａに表示される図柄が変動を開始し、一定時間経過後に停止する。このとき、停止した図柄が例えば「７７７」といった特定の図柄に揃うと、所謂「大当り」という遊技者に有利な特別遊技状態になる。この状態になると、大型の入賞装置１１０が開放して例えばパチンコ球が該入賞装置１１０に１０個入賞するまで、または３０秒間の間開く。更に、これを１ラウンドとして一定の条件が継続される限り最大限１６ラウンドまで繰り返され、一度に多くの賞球が得られる。この間、可変表示装置１０８やランプ飾り１１１，１１１に内装された発光体が発光して電飾効果を発揮するようになっている。
【００１４】
次に、入賞装置１１０について説明する。図１は本発明に係る入賞装置の斜視図、図２は同分解斜視図、図３は同平面図、図４は図３のＸ−Ｘ線断面図である。入賞装置１１０は遊技盤１０２の前面に当接する横長の取付基板１を有し、該取付基板１の４隅部に開設された螺子孔２を介して遊技盤１０２面に螺子３を螺締することにより、取付基板１が取着される。該取付基板１の正面から見たときの一側に球通孔４が開設されている。そして、該取付基板１の前面に球通孔４を囲うようにして横長かつ有底の前面カバー５が取着されている。該前面カバー５の上面には前記球通孔４に対応する部位を残して球受口６が開設され、該球受口６の下方であり球通孔４寄りに該球通孔４と連通する球入口７が開設されると共に球通孔４の反対寄りには球流出口８が開設されている。
【００１５】
前記球受口６に対応位置して前面カバー５内に、入賞装置１１０を正面から見て左右に長い平面長方形状の揺動板９が配置される。該揺動板９は、球受口６を介して上方から前面カバー５内に落下するパチンコ球を受け止め球流出口８を介して遊技盤１０２面に放出するか球入口７に入賞させるためのもので、下部中央の軸筒部１０に前面カバー５の前壁５ａと取付基板１との間に架設される支軸１１が挿通される。これにより、揺動板９が中央の支軸１１を中心とし取付基板１の前面に沿ってシーソーのようにその左右両端が交互に上下に揺動することになる。また、揺動板９における下部中央の後側に下方へ突出する半円板状の固定板９ａが設けられ、該固定板９ａの後面に後方へ突出する作動軸１７が一体に突設されている。該作動軸１７は支軸１１とほぼ平行をなし水平に支持される。
【００１６】
更に、前記作動軸１７について詳しく説明すると、該作動軸１７は後記する往復動作部材２２の枠体２３ａに遊挿されソレノイド２６の駆動により揺動板９を上下に揺動させるためのものであり、揺動板９の上面がほぼ水平状態のとき支軸１１のほぼ真下に位置する。また、揺動板９の長手方向の両端部の裏側には、それぞれ下方へ突出する一枚の歯部１２ａ，１２ｂが設けられている。
【００１７】
そこで、揺動板９が球流出口８側へ下傾した状態では、同側の歯部１２ａが前面カバー５の底壁５ｂの縁に当接して停止し、揺動板９の上面に載ったパチンコ球は球流出口８側へ転動して該球流出口８から遊技盤１０２面に落下する。また、この状態では揺動板９により球入口７は塞がれ、パチンコ球が該球入口７に入賞することはない。これに対し、揺動板９が球入口７側へ下傾した状態では、同側の歯部１２ｂが前面カバー５の底壁５ｂの上面に当接して停止し、その上面に載ったパチンコ球は球入口７側へ転動して該球入口７へ入賞することになる。
【００１８】
前記揺動板９の下方には、支軸１１を挟み正面から見てその左右両側にそれぞれ第１逆回動防止部材１３と第２逆回動防止部材１４が配置される。これら第１・第２逆回動防止部材１３，１４はそれぞれ揺動板９の傾斜した状態をしっかりと保持し誤って逆方向に回動しないようにするためのものであり、ほぼ同じ構成からなる。第１・第２逆回動防止部材１３，１４は、前面カバー５の前壁５ａと取付基板１との間に架設される第１，第２支持軸１５，１６を筒本体１３ａ，１４ａに挿通して軸着される。そして、第１・第２逆回動防止部材１３，１４が、取付基板１の前面に沿って揺動板９の揺動面と同一面内で自在に回動するようになっている。
【００１９】
第１逆回動防止部材１３は、筒本体１３ａの外周面に該筒本体１３ａの中心軸線と平行な第１支持片１３ｂが突設され、後側には前記中心軸線と平行に後方へ伸びる第１ピン１３ｃが設けられている。前記筒本体１３ａの中心軸線を中心とし、第１支持片１３ｂと、筒本体１３ａの中心軸線と第１ピン１３ｃの中心軸線を結んだ線と、のなす角は入賞装置１１０を正面から見てほぼ４５度位である。同様に、第２逆回動防止部材１４も、筒本体１４ａの外周面に該筒本体１４ａの中心軸線と平行な第２支持片１４ｂが突設され、後側には前記中心軸線と平行に後方へ伸びる第２ピン１４ｃが設けられている。前記筒本体１４ａの中心軸線を中心とし、第２支持片１４ｂと、筒本体１４ａの中心軸線と第２ピン１４ｃの中心軸線を結んだ線と、のなす角は入賞装置１１０を正面から見てほぼ４５度位である。
【００２０】
取付基板１には、そのほぼ中央部に前記揺動板９の後側から後方へ突出する作動軸１７を遊挿する円弧状の通孔１８が開設されている。また、該通孔１８を挟んでその両側に、それぞれ第１逆回動防止部材１３の第１ピン１３ｃと第２逆回動防止部材１４の第２ピン１４ｃが遊挿される円弧状の第１ガイド孔１９と第２ガイド孔２０が開設されており、これら第１・第２ガイド孔１９，２０を介して第１・第２ピン１３ｃ，１４ｃがその後側へ突出することになる。
【００２１】
取付基板１の後面に、前記球通孔４や第１・第２ピン１３ｃ，１４ｃを囲うようにして横長のガイド枠１ａが一体に設けられ、該ガイド枠１ａの後面に該ガイド枠１ａと同じ幅で合致する後面カバー２１が螺子３止めして被せられる。取付基板１の後側であって該後面カバー２１の内部には、該取付基板１の裏面に接近するようにしかつ該取付基板１に沿って往復動作部材２２が配置される。該往復動作部材２２にはその中央に後記するソレノイド２６に備えられたプランジャ２８の先端の円板２９が取着される保持部２３が配置され、正面から見てその左右両側面にそれぞれ第１腕片２４ａと第２腕片２４ｂが水平に突設される。また、保持部２３の下部に前後方向に貫通する枠体２３ａが設けられている。
【００２２】
そして、前記揺動板９から後方へ突出する作動軸１７が枠体２３ａに遊挿している。また、第１腕片２４ａの下縁に下端面が開放される第１切欠部２５ａが設けられると共に第２腕片２４ｂの下縁に下端面が開放される第２切欠部２５ｂが設けられている。第１切欠部２５ａに第１逆回動防止部材１３の第１ピン１３ｃが遊挿され、第２切欠部２５ｂに第２逆回動防止部材１４の第２ピン１４ｃが遊挿される。更に、取付基板１の後側に球流出口８側に位置させ平面的に見て往復動作部材２２とほぼ一直線上に並ぶ電動アクチュエータとしてのソレノイド２６が配置される。該ソレノイド２６の一側にはスプリング２７が巻回され球入口７側へ水平に進退動するプランジャ２８が備えられ、該プランジャ２８の先端に往復動作部材２２の保持部２３に取着される円板２９が一体に設けられている。
【００２３】
ソレノイド２６が消磁しているときは、図５（ロ）に示すようにプランジャ２８がスプリング２７の付勢により球入口７側へ伸び、これに伴い往復動作部材２２が同方向へ移動する。この際、枠体２３ａも移動することになるので、同時に揺動板９の作動軸１７が支軸１１を中心として回動し、揺動板９も回動して球流出口８側へ下傾した状態で停止している。同時に、第１・第２逆回動防止部材１３，１４も図５（イ）の矢視方向に示すように回動して球入口７側の第１支持片１３ｂが起立しかつ球流出口８側の第２支持片１４ｂが傾倒している。よって、揺動板９が誤って逆に球入口７側へ回動しようとしても、第１支持片１３ｂに支えてその回動動作が止められる。
【００２４】
一方、ソレノイド２６が励磁すると、図６（ロ）に示すようにプランジャ２８がスプリング２７の付勢に抗して球流出口８側へ収縮し、これに伴い往復動作部材２２が同方向へ移動する。この際、枠体２３ａも移動することになるので、同時に揺動板９の作動軸１７が支軸１１を中心として前記とは逆方向へ回動し、揺動板９も回動して球入口７側へ下傾した状態で停止する。同時に、第１・第２逆回動防止部材１３，１４も図６（イ）に示すように前記とは逆方向へ回動して、球入口７側の第１支持片１３ｂが傾倒しかつ球流出口８側の第２支持片１４ｂが起立する。よって、揺動板９が逆に球流出口８側へ回動しようとしても、第２支持片１４ｂに支えてその回動動作が止められるようになっている。揺動板９が球流出口８側または球入口７側のいずれかに下傾している状態では、その状態はソレノイド２６により保持されていることになる。
【００２５】
前記前面カバー５における球入口７の内側には球検出器３０が配置され、該球入口７に入賞したパチンコ球は球検出器３０により電気的に検出されると共に球通孔４を介して後方へ転動する。後面カバー２１の後壁２１ａには、前記球通孔４と対応位置して連通する球排出孔３１が開設され、前記球通孔４を後方へ流れるパチンコ球は該球排出孔３１から下方へ落下して排出される。
【００２６】
本発明に係るパチンコ機の入賞装置は上記構成からなり、次に作用を説明する。図５（イ）は作用を説明する入賞装置の正面断面図、（ロ）は同背面断面図である。また、図６（イ）は作用を説明する入賞装置の正面断面図、（ロ）は同背面断面図である。ソレノイド２６が消磁した状態では、図５（イ）（ロ）に示すようにプランジャ２８がそのスプリング２７の弾性により突出するように付勢され、往復動作部材２２が球入口７側の位置で停止し揺動板９が球流出口８側へ下傾した状態となっている。このとき、第１支持片１３ｂが起立すると共に第２支持片１４ｂが傾倒している。また、反対側の球入口７は揺動板９により塞がれている。よって、遊技盤１０２面を流下し球受口６を介して前面カバー５内に入ったパチンコ球Ｂは、揺動板９の上面を球流出口８側へ転動して該球流出口８から落下し遊技盤１０２面に戻され、球入口７に入賞することはない。
【００２７】
一方、例えば「大当り」といった遊技者にとって有利な特別遊技状態になり、ソレノイド２６が励磁すると、スプリング２７の付勢に抗してプランジャ２８が収縮し、往復動作部材２２が球流出口８側へ移動する。このとき、図６（イ）（ロ）に示すように第１支持片１３ｂが傾倒すると共に第２支持片１４ｂが起立する。これにより、揺動板９が球入口７側へ下傾することになり、同時に球入口７が開放する。よって、遊技盤１０２面を流下し球受口６を介して前面カバー５内に入ったパチンコ球Ｂは、揺動板９の上面を球入口７側へ転動して該球入口７へ入賞する。球入口７へ入賞したパチンコ球Ｂは、球検出器３０により電気的に検出されると共に球通孔４を介して後側の球排出孔３１から外部へ排出される。
【００２８】
前記揺動板９が球流出口８側または球入口７側のいずれに下傾した状態となっても、その跳ね上げられた側の第１・第２逆回動防止部材１３，１４における第１，第２支持片１３ｂ，１４ｂが起立しているので、たとえパチンコ球Ｂが当接してその勢いで誤って逆方向へ回動してしまうといった誤動作を起こす心配がない。
【００２９】
このように、本発明は取付基板１の前側にパチンコ球を受ける揺動板９を配置すると共に該取付基板１の後側にソレノイド２６を該取付基板１に沿って水平に配置するようにしたので、図４に示すように遊技盤１０２の後面から入賞装置１１０の後部が後方へ突出することがほとんどなくなり、全体にコンパクトに形成される。よって、設置スペースの狭い場合でも、入賞装置１１０の取り付けが容易に行なえる。
【００３０】
本発明にあっては、前記揺動板９がその中央で軸着されシーソーのように揺動する構成を示したが、この他に例えば球流出口８側の端部を軸着し球入口７側の端部を上下に揺動させる揺動板についても本発明が適用できることは勿論である。
【符号の説明】
【００３１】
１              取付基板
４              球通孔
５              前面カバー
６              球受口
７              球入口
８              球流出口
９              揺動板
１３            第１逆回動防止部材
１４            第２逆回動防止部材
２６            電動アクチュエータ（ソレノイド）
１０２          遊技盤
Ｂ              パチンコ球
【図１】
0005649987.tif 000002
【図２】
0005649987.tif 000003
【図３】
0005649987.tif 000004
【図４】
0005649987.tif 000005
【図５】
0005649987.tif 000006
【図６】
0005649987.tif 000007
【図７】
0005649987.tif 000008